(57)【要約】【課題】プランジャの作動状況を把握することができる液体吐出容器を提供すること。【解決手段】容器本体１０と、シリンダ２０と、シリンダに回動可能に取り付けられた回動環４０と、回動環に取り付けられた吐出管５０と、吐出管に上下摺動可能に外嵌され、付勢機構４７により下方に付勢されたプランジャ６０と、回動環の回転動作をプランジャの上昇動作に変換する変換機構と、押し下げ動作により吐出弁５１を開弁させて内容液を吐出させる吐出ヘッド５６と、吸込弁２９を通してシリンダ内に流入した内容液が溜められる加圧室９３と、を備え、プランジャには複数の異なる数字が明示された加飾部１００が形成され、回動環には、シリンダに設けられた窓部１０１を通じて数字を視認可能とさせると共に該数字を拡大表示させる拡大レンズ１０２が設けられ、加飾部は異なる数字が上下方向に並ぶことで縦長に形成されている液体吐出容器１を提供する。【選択図】図４
2014156253.tif 000002
【特許請求の範囲】
【請求項１】
内容液が収容された容器本体と、
下端の吸込み口が前記容器本体の口部から容器本体内に挿入されて、該容器本体に固定されたシリンダと、
前記シリンダに回動可能に取り付けられた回動環と、
前記回動環に取り付けられると共に、上部に吐出弁が設けられ且つ下部開口が前記シリンダ内に位置する吐出管と、
前記シリンダ内に配置されると共に、前記吐出管に液密且つ上下摺動可能に外嵌され、付勢機構により下方に付勢された筒状のプランジャと、
前記回動環と前記プランジャとの間に設けられ、前記回動環の前記シリンダに対する回転動作を前記プランジャの前記シリンダに対する上昇動作に変換する変換機構と、
前記吐出弁に下方に押し下げ可能に連結され、押し下げ動作により吐出弁を開弁させて吐出口から前記内容液を吐出させる吐出ヘッドと、
前記吸込み口に配設され、前記シリンダ内への前記内容液の流入を許容し、且つ前記シリンダ外への前記内容液の流出を阻止する吸込弁と、
前記シリンダ、前記吸込弁、前記吐出管及び前記プランジャによって囲まれ、前記吸込弁を通して前記シリンダ内に流入した前記内容液が溜められる加圧室と、を備え、
前記プランジャの外周面には、複数の異なる数字が明示された加飾部が形成され、
前記シリンダのうち前記加飾部に対して径方向に向かい合う部分には、窓部が設けられ、
前記回動環には、前記窓部を通じて前記回動環の外部から前記数字を視認可能とさせると共に、該数字を拡大表示させる拡大レンズが設けられ、
前記加飾部は、異なる前記数字が上下方向に並ぶことで縦長に形成されていることを特徴とする液体吐出容器。
【請求項２】
請求項１に記載の液体吐出容器において、
前記回動環は透明とされ、
前記拡大レンズは、前記回動環と一体成型されていることを特徴とする液体吐出容器。
【発明の詳細な説明】
【技術分野】
【０００１】
本発明は、液体吐出容器に関するものである。
【背景技術】
【０００２】
従来から、例えば下記特許文献１に示されるような、口部を有する容器本体と、下端の吸込み口が前記口部から容器本体内に挿入されて容器本体に固定されたシリンダと、シリンダに回動可能に取り付けられた回動環と、回動環に取り付けられ上部に吐出弁が設けられ下部開口がシリンダ内に位置する吐出管と、シリンダ内に配置されると共に吐出管に液密に外嵌して上下摺動可能に設けられ付勢機構により下方に付勢された筒状のプランジャと、回動環とプランジャとの間に設けられ回動環のシリンダに対する回転動作をプランジャのシリンダに対する上昇動作に変換する変換機構と、吐出弁に連結され下方に押し下げ可能になっていて押し下げ動作により吐出弁を開弁させて吐出ノズルから内容液を吐出可能な吐出ヘッドと、シリンダの内周面とプランジャの外周面との間に設けられプランジャが最下限位置に位置した時にはプランジャ内側の加圧室に連通しプランジャが最下限位置から外れて位置した時には加圧室から遮断される液圧逃がし通路と、シリンダの内周面とプランジャの外周面との間に設けられ外気導入可能な空気流入通路と、シリンダの周壁に形成され容器本体の内部と液圧逃がし通路とを連通する等圧孔と、液圧逃がし通路と空気流入通路との間に設けられ、等圧孔を開閉すると共に、プランジャの外周面に圧接摺動して液圧逃がし通路と空気流入通路との間を開閉する等圧弁と、を備える液体吐出容器が知られている。
【先行技術文献】
【特許文献】
【０００３】
【特許文献１】特許第３５９５０１６号公報
【発明の概要】
【発明が解決しようとする課題】
【０００４】
ところで、上記液体吐出容器によれば、回動環を回転操作することで、プランジャが最下限位置から最上限位置まで上昇し、その間に内容液が加圧室内にポンプアップされる（吸い上げられる）。そして、ポンプアップ後、吐出ヘッドを押し下げ操作することで、プランジャが下降し、内容液が吐出ノズルから吐出される。このように、回動環の回転操作に伴ってプランジャが上昇し、吐出ヘッドの押し下げ操作に伴ってプランジャが下降する動きをすることで、内容液の吐出がなされる。
【０００５】
しかしながら、使用者は上述したようなプランジャの作動状況を目視することができないので、プランジャが適正に作動しているか否かを直接把握することが難しい。従って、例えば回動環を回転操作したときに加圧されない場合や、吐出ヘッドを押し下げ操作したときに内容液が吐出されない場合等、プランジャの作動状況を把握できないので扱い難い場合があり、改善の余地があった。
【０００６】
この発明は、このような事情を考慮してなされたもので、その目的は、プランジャの作動状況を把握することができる液体吐出容器を提供することである。
【課題を解決するための手段】
【０００７】
上記の目的を達成するために、この発明は以下の手段を提供している。
（１）本発明に係る液体吐出容器は、内容液が収容された容器本体と、下端の吸込み口が前記容器本体の口部から容器本体内に挿入されて、該容器本体に固定されたシリンダと、前記シリンダに回動可能に取り付けられた回動環と、前記回動環に取り付けられると共に、上部に吐出弁が設けられ且つ下部開口が前記シリンダ内に位置する吐出管と、前記シリンダ内に配置されると共に、前記吐出管に液密且つ上下摺動可能に外嵌され、付勢機構により下方に付勢された筒状のプランジャと、前記回動環と前記プランジャとの間に設けられ、前記回動環の前記シリンダに対する回転動作を前記プランジャの前記シリンダに対する上昇動作に変換する変換機構と、前記吐出弁に下方に押し下げ可能に連結され、押し下げ動作により吐出弁を開弁させて吐出口から前記内容液を吐出させる吐出ヘッドと、前記吸込み口に配設され、前記シリンダ内への前記内容液の流入を許容し、且つ前記シリンダ外への前記内容液の流出を阻止する吸込弁と、前記シリンダ、前記吸込弁、前記吐出管及び前記プランジャによって囲まれ、前記吸込弁を通して前記シリンダ内に流入した前記内容液が溜められる加圧室と、を備え、前記プランジャの外周面には、複数の異なる数字が明示された加飾部が形成され、前記シリンダのうち前記加飾部に対して径方向に向かい合う部分には、窓部が設けられ、前記回動環には、前記窓部を通じて前記回動環の外部から前記数字を視認可能とさせると共に、該数字を拡大表示させる拡大レンズが設けられ、前記加飾部は、異なる前記数字が上下方向に並ぶことで縦長に形成されていることを特徴とする。
【０００８】
本発明に係る液体吐出容器によれば、窓部及び拡大レンズを通じて、プランジャの外周面に形成された加飾部を回動環の外部から視認することができるので、プランジャの作動に伴って数字の変化を視認することができる。これにより、回動環の回転操作に伴ってプランジャが上昇する様子や、吐出ヘッドの押し下げ操作に伴ってプランジャが下降する様子等、プランジャの作動状況を確認することが可能である。従って、適正にプランジャが作動していることを認識しながら操作を行うことができ、製品信頼性を確保して付加価値を高めることができる。
【０００９】
また、数字の変化により、吐出ヘッドの押し下げ操作に伴うプランジャの下降位置を把握し易いので、内容液の吐出量を把握しながら操作することができる。また、数字の変化により、プランジャが最下限位置に達して内容液の吐出が終了したことを把握し易いので、使用途中において回動環を誤って回転操作してしまう等の誤作動を防止できるうえ、この誤作動に起因する部品変形や作動不良についても未然に防止することができる。
なお、拡大レンズによって数字を拡大表示できるので、プランジャの外周面に多数の数字を明示したとしても視認し易い。そのため、多数の数字を利用してプランジャの作動状況をより微細に確認することが可能である。
【００１０】
（２）上記本発明に係る液体吐出容器において、前記回動環は透明とされ、前記拡大レンズは、前記回動環と一体成型されていることが好ましい。
【００１１】
この場合には、透明材料を使用して回動環と拡大レンズとを一体成型することができるので、容易に作製できるうえ、製造コストを低減することが可能である。また、回動環が透明であるので、回動環の内側に配設される各構成品を視認でき、デザイン性の向上や、部品点数の多さをアピールして付加価値をさらに向上させることができる。
【発明の効果】
【００１２】
本発明に係る液体吐出容器によれば、プランジャの作動状況を把握することができ、適正にプランジャが作動していることを認識しながら操作を行えるので、製品信頼性を確保して付加価値を高めることできる。また、内容液の吐出量を適宜把握しながら操作することができるうえ、内容液の吐出が終了したことを把握し易いので、使用途中における誤作動を防止することができる。
【図面の簡単な説明】
【００１３】
【図１】本発明に係る実施形態を示す図であって、非加圧時における液体噴霧容器の半縦断面図である。
【図２】図１に示す液体噴霧容器を構成するプランジャの駆動筒部及びシリンダの側面図（一部半縦断面図）であって、両者を組み合わせる前の状態における側面図である。
【図３】図２に示すシリンダ内に駆動筒部を組み合わせた状態におけるシリンダの上面図である。
【図４】図３に示すＡ−Ａ線に沿った視点で見た、図１示す液体噴霧容器の半縦断面図である。
【図５】図４で示す矢印Ｂ方向から見た液体噴霧容器の一部側面図である。
【図６】図１に示す状態から回動環を回動し始めた状態を示す図である。
【図７】図６に示す状態から回動環の回動が終了した状態を示す図である。
【図８】図７に示す状態から噴霧ヘッドを押し下げて内容液を噴出している状態を示す図である。
【図９】回動環の変形例を示す半縦断面図である。
【発明を実施するための形態】
【００１４】
以下、本発明の一実施形態を、図面を参照して説明する。
（液体噴霧容器の構成）
図１に示すように、液体噴霧容器（液体吐出容器）１は、有底筒状に形成された容器本体１０を備えている。容器本体１０は、胴部１１及び底部と、外周面に雄ねじが設けられた口部１２と、で有底筒状に形成されており、内部に内容液が充填されている。
なお、以下では、容器本体１０の中心軸を容器軸Ｏと称し、この容器軸Ｏ方向に沿って口部１２側を上側、底部側を下側と称し、この容器軸Ｏ方向に沿った方向を上下方向と称する。また、容器軸Ｏに直交する方向を径方向と称し、容器軸Ｏ回りに周回する方向を周方向と称する。
【００１５】
容器本体１０の口部１２には、下端の吸込み口２１ａがこの口部１２から容器本体１０内に挿入された上記シリンダ２０が固定されている。図示の例では、シリンダ２０は、容器軸Ｏと同軸に配置された多段の筒状に形成され、下から順に第１筒部２１、第２筒部２２、第３筒部２３、第４筒部２４が連設されており、これら各筒部は上位に位置するものに従って内径及び外径がそれぞれ大きくなっている。
第４筒部２４の上下方向における略中央からは、ネジ筒部２５が外側下方に延びている。このネジ筒部２５の内周面には雌ねじが設けられており、シリンダ２０は、ネジ筒部２５を容器本体１０の口部１２に螺合して容器本体１０に固定されている。なお、口部１２の上端面とネジ筒部２５との間にはパッキン１３が挟装されている。
【００１６】
第１筒部２１と第２筒部２２との間には、環状の弁座部２６が設けられており、第３筒部（シリンダの周壁）２３の下端には複数の等圧孔２７が開口している。
第１筒部２１の内側は、前記吸込み口２１ａとなっていて、第１筒部２１内には、下端を容器本体１０の底部近傍に延ばした吸込管２８が嵌着されている。
【００１７】
また、第１筒部２１の上端、即ち第２筒部２２の下端には吸込弁２９が取り付けられている。吸込弁２９は、弁座部２６に当接離反可能な弁体２９ａを有し、弁体２９ａが弁座部２６に着座して閉弁となり、弁座部２６から上方に離反して開弁となる。
【００１８】
第２筒部２２の内側には、筒状のスリーブ３０が固定されている。スリーブ３０は、下部を大径筒部３０ａとすると共に、上部を小径筒部３０ｂとしており、小径筒部３０ｂは、大径筒部３０ａよりも内径が小さい。小径筒部３０ｂの上端からは、シール筒部３０ｃが上方に起立している。また、小径筒部３０ｂの上端は、第２筒部２２の上縁に掛止されており、シール筒部３０ｃは、等圧孔２７から離間して配されている。
【００１９】
図示の例では、シール筒部３０ｃの上端の位置は、第３筒部２３の上端の位置と一致している。更に、シール筒部３０ｃの上端部には、複数の溝部３０ｄが周方向に間隔をあけて形成されている。なお、スリーブ３０はシリンダ２０の一部をなしている。
【００２０】
第４筒部２４のほぼ上半分の内周面には、周方向に等しい間隔をあけて断面半円形の縦溝３１が複数設けられており、第４筒部２４の外周面には、係合突起２４ａが外方に突出して設けられている。第４筒部２４の外側には、容器軸Ｏと同軸に配置された回動環４０が周方向に回動可能で上下方向に移動不能に取り付けられている。
【００２１】
上記回動環４０は、透明とされ、この回動環４０を透過しながら内部を視認することが可能とされる。回動環４０は、上端にネック筒部４１を有し、ネック筒部４１の下部に、上部に吐出弁５１が設けられ、下部開口がシリンダ２０内に位置する吐出管５０が固定されている。
【００２２】
上記吐出弁５１は、吐出管５０の上部開口を塞ぐように取り付けられている。また、吐出弁５１は、入口管５２と出口管５３と弁体５４とスプリング５５とを主要構成とし、入口管５２が吐出管５０に連通している。
出口管５３の上端には、吐出弁５１に連結され下方に押し下げ可能になっていて押し下げ動作により吐出弁５１を開弁させて噴霧ノズル（吐出口）５６ａから内容液を噴出可能な噴霧ヘッド（吐出ヘッド）５６が固定されている。
【００２３】
図示の例では、噴霧ヘッド５６は、ネック筒部４１に、このネック筒部４１の外周面に沿って下降可能に外嵌されている。また、噴霧ヘッド５６の外周面に設けられた前記噴霧ノズル５６ａは、噴霧ヘッド５６内に設けられた通路を介して出口管５３内に連通している。
【００２４】
スプリング５５は、出口管５３を上方に付勢して弁体５４を閉弁位置に位置させている。この吐出弁５１においては、噴霧ヘッド５６を下方に押して出口管５３をスプリング５５の弾性に抗して押し下げると、弁体５４が開弁して入口管５２と出口管５３とが連通し、その結果、噴霧ノズル５６ａが吐出管５０に連通するようになっている。そして、噴霧ヘッド５６から手を離すとスプリングバックして弁体５４が閉弁位置に復帰するようになっている。
吐出管５０は、容器軸Ｏと同軸に配置されていると共に先部がシリンダ２０内に挿入されており、その先端がシリンダ２０の第３筒部２３の内側に配されている。
【００２５】
シリンダ２０と吐出管５０との間には、容器軸Ｏと同軸に配置された筒状のプランジャ６０が吐出管５０に液密に外嵌して上下摺動可能に取り付けられている。プランジャ６０は、駆動筒部６１とスカート部６２とを備えている。
駆動筒部６１は、下筒部６３と、上筒部６４と、これらを連結する環板部６５とを有し、環板部６５は下筒部６３よりも若干内方に延びて、その内端縁が上下両方向に突出している。
【００２６】
下筒部６３の外径は、スリーブ３０の小径筒部３０ｂの内径よりも若干小径となっている。下筒部６３の外周面には、下方に向けて開口すると共に上下方向に延在する連通溝６３ａが形成されている。
なお、連通溝６３ａは、下筒部６３の外周面に１つのみ形成されていても良く、また、周方向に互いに間隔をあけて複数形成されていても良い。また以下では、下筒部６３において上下方向に沿って連通溝６３ａが形成されている部分を下筒部６３の下側部分と称し、下筒部６３において前記下側部分よりも上側の部分を上側部分と称する。
【００２７】
下筒部６３の内側には、スカート部６２が固定されている。スカート部６２は、下筒部６３に内嵌固定された支持筒部６６と、支持筒部６６から外方に且つ下方に延びるシール脚筒部６７と、支持筒部６６の下方延長上に延びる複数の押さえ脚部６８、とを備えている。
【００２８】
支持筒部６６の内径は、環板部６５の内径と同径に形成されていて、吐出管５０の外径よりも僅かに大径にされている。支持筒部６６の上部内縁端と環板部６５の下向き内縁端との間にはゴム製のシールリング６９が挟装されており、シールリング６９は、駆動筒部６１とスカート部６２と吐出管５０との間を液密にシールしつつ、吐出管５０の外周面を圧接摺動するようにされている。
【００２９】
シール脚筒部６７は、駆動筒部６１の下筒部６３の下方に配されていて外径が該下筒部６３の外径とほぼ同径に形成されている。シール脚筒部６７の下端部は、下方に向かって拡径するテーパー筒部６７ａにされている。テーパー筒部６７ａの下端外径は、スリーブ３０の大径筒部３０ａの内径よりも小径で、テーパー筒部６７ａと大径筒部３０ａとの間に隙間があいている。また、前記下端外径は、小径筒部３０ｂの内径とほぼ同径か若干大径とされ、テーパー筒部６７ａは、小径筒部３０ｂの外周面を圧接摺動するようにされている。
【００３０】
押さえ脚部６８は、隣り合う押さえ脚部６８の間に隙間を有して形成されており、各押さえ脚部６８は、プランジャ６０が最下限位置に位置した時に吸込弁２９の弁体２９ａを上から押圧し、弁座部２６と協働して弁体２９ａの開弁を阻止するようにされている。
また、シリンダ２０と吸込弁２９と吐出管５０とプランジャ６０とによって囲まれた空間は加圧室９３とされている。
【００３１】
回動環４０とプランジャ６０との間には、回動環４０のシリンダ２０に対する回転動作をプランジャ６０のシリンダ２０に対する上昇動作に変換する変換機構７５が設けられている。以下、この変換機構７５について説明する。
【００３２】
プランジャ６０の上筒部６４の外周面には、周方向に互いに間隔をあけて形成された垂直溝７０ｂと、周方向に隣接する垂直溝７０ｂの上端と下端とを連結する傾斜溝７０ａとからなる断面半円形のカム溝７０が、容器軸Ｏ回りの全周に亘って設けられている。
このカム溝７０及びシリンダ２０の縦溝３１それぞれには、ボール７１が回動可能に係合している。即ち、ボール７１の半分はカム溝７０に挿入され、残りの半分が縦溝３１に挿入されている。
【００３３】
また、プランジャ６０は、中継部材４２によって回動環４０に相対回転不能で上下方向に相対移動可能に連結されている。
この中継部材４２は、外側下延筒部４３と内側下延筒部４４と上延筒部４５とが頂板部４６によって連結されて構成されており、外側下延筒部４３の内周面に設けられた突起４３ａをシリンダ２０の第４筒部２４の係合突起２４ａに掛止させてシリンダ２０に対して相対回転可能に取り付けられている。更に中継部材４２は、上延筒部４５の係合突条４５ａを回動環４０の係合溝４０ａに係合することによって、回動環４０と同期回転するようにされている。
なお、外側下延筒部４３の下端開口縁とシリンダ２０との間には、環状の隙間があいており、この隙間を利用して回動環４０の外部から貫通孔２４ｂを通じて内部を視認することが可能とされる。
【００３４】
一方、中継部材４２は、内側下延筒部４４の外周面に設けた縦突条４４ａを駆動筒部６１の上筒部６４の内周面に設けた縦溝６４ａに係合することによって、プランジャ６０に対して相対回転不能で上下方向に相対移動可能に連結されている。
【００３５】
プランジャ６０は、中継部材４２との間に介装されたスプリング（付勢機構）４７によって下方に付勢されている。従って、前記ボール７１は、回動環４０を回動操作する間において常にシリンダ２０の縦溝３１の下端に係合し、カム溝７０の上壁面に係合している。
【００３６】
以上に示した構成においては、ボール７１が傾斜溝７０ａの上端に係合している状態で回動環４０を容器本体１０に対して回転させると、図２に示すように、ボール７１がそのままの高さ位置で傾斜溝７０ａに沿って該傾斜溝７０ａを相対的に下っていく状態となるので、プランジャ６０が上昇する。この際、プランジャ６０がスプリング４７を弾性圧縮する。
そして、図３に示すように、回動環４０のさらなる回転に伴って、ボール７１がそのままの高さ位置でカム溝７０の傾斜溝７０ａの下端から垂直溝７０ｂの下端に移行すると、スプリング４７の弾性復元力によってプランジャ６０は下降可能となる。プランジャ６０が下降すると、ボール７１はそのままの高さ位置で垂直溝７０ｂを相対的に上昇することとなり、最終的に隣接する傾斜溝７０ａの上端に達する。
【００３７】
このようにプランジャ６０が回動環４０に対して相対回転不能で上下方向に相対移動可能に連繋され、シリンダ２０とプランジャ６０とが縦溝３１とカム溝７０とボール７１で構成されたカム機構によって連繋されているので、回動環４０を容器本体１０に対して回転させることによってプランジャ６０をスプリング４７の弾性に抗して上昇させることができ、その後、スプリング４７の弾性復元力によってプランジャ６０を下降させることができる。
なお、上述したように、ボール７１は同じ高さ位置を維持したまま、回動環４０の回転操作に伴って傾斜溝７０ａ及び垂直溝７０ｂからなるカム溝７０を相対的に走行（移動）する状態となり、これによりプランジャ６０が上下動することとなる。
【００３８】
なお、図示の例では、中継部材４２の頂板部４６には、この頂板部４６を貫通する複数の空気孔４６ａが、容器軸Ｏ回りに沿って互いに間隔をあけて形成されている。また、頂板部４６の内縁部には、吐出管５０の上部が掛止されている。
【００３９】
図１に示すように、シリンダ２０の第３筒部２３の上端には、等圧弁８０が配置されている。
この等圧弁８０は、容器軸Ｏと同軸の円環状に形成されると共に下面が第３筒部２３及びシール筒部３０ｃそれぞれの上端縁に当接されて支持された弁本体８４と、シール筒部３０ｃに対して当接離反する第１弁部８１と、下筒部６３の外周面上を摺動する第２弁部８２と、プランジャ６０に対して当接離反する第３弁部８３と、を備えている。
なお、この等圧弁８０は例えば軟質樹脂やゴム等の弾性部材（弾性体）で形成されている。
【００４０】
シリンダ２０とプランジャ６０との間には、等圧弁８０を間に挟んで下側に液圧逃がし通路９１が形成され、上側に空気流入通路９２が形成されている。
【００４１】
液圧逃がし通路９１は、プランジャ６０のテーパー筒部６７ａがスリーブ３０の大径筒部３０ａの側方に位置している時に加圧室９３に連通し、図２及び図３に示すように、テーパー筒部６７ａが小径筒部３０ｂに圧接している時に加圧室９３から遮断される。即ち、液圧逃がし通路９１は、プランジャ６０が最下限位置に位置した時には加圧室９３に連通し、プランジャ６０が最下限位置から外れて位置した時には加圧室９３から遮断される。また、液圧逃がし通路９１は、第３筒部２３に形成された等圧孔２７を通して容器本体１０の内部と連通可能とされている。
【００４２】
図１に示すように、空気流入通路９２は、プランジャ６０の駆動筒部６１とシリンダ２０の第４筒部２４との間の隙間、カム溝７０、シリンダ２０の縦溝３１、中継部材４２の空気孔４６ａ等を介して外部に連通して外気導入可能となっている。
なお、シリンダ２０の第４筒部２４に形成された貫通孔２４ｂも、空気流入通路９２に連通している。従って、空気孔４６ａ及び貫通孔２４ｂを通じて外気が空気流入通路９２に導入可能とされている。
【００４３】
第１弁部８１は、弁本体８４から下方に延びると共に容器軸Ｏと同軸の筒状をなし、下端部がスリーブ３０のシール筒部３０ｃの外周面に当接離反可能になっていて、シール筒部３０ｃに着座して等圧孔２７を閉塞し、シール筒部３０ｃから離反して等圧孔２７を開放するように動作する。
なお、図示の例では、第１弁部８１の下端部は、シール筒部３０ｃの外周面において、溝部３０ｄよりも下側に位置する部分に当接離反可能となっている。そして、第１弁部８１は、液圧逃がし通路９１内の圧力と容器本体１０内の圧力との圧力差によって動作して容器本体１０内から液圧逃がし通路９１への流通を阻止し、液圧逃がし通路９１から容器本体１０内への流通のみを許容する逆止弁として機能する。
【００４４】
第２弁部８２は、弁本体８４の内周面から径方向の内側に向けて突出する環状突部に形成されていて、例えば上下方向に間隔をあけて２つ形成されている。また、図１及び図２に示すように、第２弁部８２は、駆動筒部６１の下筒部６３の上側部分の外周面に液密に圧接摺動するように形成されており、図３に示すように、下筒部６３の下側部分を摺動する時には、前記連通溝６３ａを介して第２弁部８２の上方と下方とが連通される。即ち、第２弁部８２は、下筒部６３の上側部分を摺動する時は閉弁状態であり、下筒部６３の下側部分を摺動する時は開弁状態となる。
【００４５】
第３弁部８３は、弁本体８４において第１弁部８１よりも径方向の内側から下方に延びると共に容器軸Ｏと同軸の筒状をなし、その先端部分が先端シール部となっている。第３弁部８３の先端シール部は、図１及び図３に示すように、駆動筒部６１の下筒部６３の上側部分の外周面及びスカート部６２におけるシール脚筒部６７の外周面に液密に圧接摺動するように形成されている。また、図２に示すように、第３弁部８３の先端シール部が下筒部６３の下側部分を摺動する時には、前記連通溝６３ａを介して第３弁部８３の上方と下方とが連通される。
即ち、第３弁部８３は、下筒部６３の上側部分及びシール脚筒部６７を摺動する時は閉弁状態であり、下筒部６３の下側部分を摺動する時は開弁状態となる。
【００４６】
また、閉弁状態にある第３弁部８３は、液圧逃がし通路９１内の圧力と空気流入通路９２内の圧力との圧力差によって開閉するようになっていて、液圧逃がし通路９１から空気流入通路９２への流通を阻止し、空気流入通路９２から液圧逃がし通路９１への流通のみを許容する逆止弁として機能する。
【００４７】
また、本実施形態では、シリンダ２０との間で等圧弁８０を上下方向に挟み等圧弁８０をシリンダ２０に固定する固定具８６が備えられている。図示の例では、固定具８６は、容器軸Ｏと同軸に配置された円環状に形成され、シリンダ２０の内周面との間で等圧弁８０を挟んでいる。
【００４８】
ところで、図２に示すように、上述したプランジャ６０における駆動筒部６１の上筒部６４の外周面には、複数の異なる数字で明示された加飾部１００が形成されている。
この加飾部１００は、垂直溝７０ｂに対して周方向に隣接する部分に形成されており、異なる数字が上下方向に並ぶことで縦長に形成されている。具体的には、「０」〜「１５」までの数字がこの順番に上から明示されている。
なお、加飾部１００は、容器軸Ｏを挟んで径方向で向かい合うように、上筒部６４の外周面に一対形成されている。また、上記数字の明示方法としては、例えば上筒部６４の外周面に打刻しても構わないし、印刷等により表示しても構わないし、ラベル等を貼着することで表示しても構わない。
【００４９】
そして、図２〜図４に示すように、シリンダ２０の第４筒部２４における上半分（容器本体１０の口部１２よりも上方に突出している部分）には、係合突起２４ａよりも下側に位置する部分において第４筒部２４を貫通する貫通孔（窓部）１０１が形成されている。
この貫通孔１０１は、側面視円形状に形成された窓部であり、プランジャ６０に形成された加飾部１００に対して径方向に向かい合う位置に一対形成されている。具体的には、貫通孔１０１は、第４筒部２４の上半分において、プランジャ６０の垂直溝７０ｂに対応して形成された縦溝３１に対して周方向に隣接する部分に形成されている。これにより、貫通孔１０１を通じて加飾部１００を視認することが可能とされる。
【００５０】
さらに、回動環４０には、図４及び図５に示すようにシリンダ２０に形成された貫通孔１０１に対して径方向に向かい合う位置に拡大レンズ１０２が一対形成されている。
この拡大レンズ１０２は、例えば貫通孔１０１に向けて膨らんだ凸球面レンズであり、透明な回動環４０に一体成型されている。これにより、貫通孔１０１及び拡大レンズ１０２を通じて回動環４０の外部からプランジャ６０に形成された加飾部１００の数字を視認することが可能とされている。しかも、拡大レンズ１０２による凹面鏡効果により、該拡大レンズ１０２に数字を拡大表示させることができる。
【００５１】
なお、図２に示すように、加飾部１００における数字のうち、「０」はプランジャ６０が最下限位置に位置している際に貫通孔１０１に向かい合う位置に形成され、「１５」はプランジャ６０が最上限位置に位置している際に貫通孔１０１に向かい合う位置に形成され、「１」〜「１４」はプランジャ６０が最下限位置と最上限位置との間に位置している際に貫通孔１０１に向かい合う位置に形成されている。
【００５２】
（液体噴霧容器の作用）
次に、上記のように構成された液体噴霧容器１の作用を説明する。
＜非加圧状態＞
図１に示すように、液体噴霧容器１の非使用時の状態である非加圧状態においては、吸込弁２９及び吐出弁５１が閉弁状態になっており、プランジャ６０が最下限位置に位置していると共に、押さえ脚部６８が吸込弁２９の弁体２９ａを上から押圧している。また、液圧逃がし通路９１は加圧室９３に連通している。
【００５３】
等圧弁８０の第１弁部８１は、シリンダ２０におけるスリーブ３０のシール筒部３０ｃに圧接して液圧逃がし通路９１と容器本体１０とを遮断している。第２弁部８及び第３弁部８３は、いずれもプランジャ６０における下筒部６３の上側部分に圧接して液圧逃がし通路９１と空気流入通路９２とを遮断している。
なお、吐出弁５１については、この後、噴霧ヘッド５６を押し下げない限り、閉弁状態に維持される。
【００５４】
＜ポンプアップ操作 − 前半＞
前記非加圧状態から回動環４０を容器本体１０に対して回転させると、プランジャ６０がスプリング４７を圧縮しながら上昇する。すると、プランジャ６０の上昇により押さえ脚部６８は吸込弁２９の弁体２９ａから離反し、弁体２９ａは開弁可能になる。
なお、最下限位置からプランジャ６０のテーパー筒部６７ａがスリーブ３０の小径筒部３０ｂに圧接する直前までのプランジャ６０の移動範囲を下部移動域と称する。この下部移動域においては、等圧弁８０の第２弁部８２及び第３弁部８３は両方ともプランジャ６０の下筒部６３の上側部分に液密に圧接しており、液圧逃がし通路９１と空気流入通路９２との間を遮断し続ける。
【００５５】
そして、図６に示すように、プランジャ６０が下部移動域を脱して、プランジャ６０のテーパー筒部６７ａがスリーブ３０の小径筒部３０ｂに圧接すると、それ以後のプランジャ６０の上昇によって加圧室９３が負圧となり、この負圧によって吸込弁２９の弁体２９ａが弁座部２６から離反して開弁する。
その結果、容器本体１０内の内容液が吸込管２８の下端より吸い上げられ、この吸込管２８を通った後、吸込み口２１ａから加圧室９３内にポンプアップされる。
【００５６】
なお、テーパー筒部６７ａはプランジャ６０が最上限位置に至るまで、即ちポンプアップが完了するまで、スリーブ３０の小径筒部３０ｂを液密に圧接し続ける。また、プランジャ６０の下筒部６３の上側部分は、等圧弁８０の第２弁部８２に液密に圧接されながら摺動し、その結果、液圧逃がし通路９１と空気流入通路９２とは第２弁部８２によって遮断された状態に保持される。
なお、テーパー筒部６７ａがスリーブ３０の小径筒部３０ｂに圧接し始めるのとほぼ同時に、等圧弁８０の第３弁部８３の先端シール部が下筒部６３の下側部分を摺動し、第３弁部８３が開弁状態になる。
【００５７】
そして、内容液のポンプアップに伴い、容器本体１０内は減圧されて負圧になり、この負圧によって等圧弁８０の第１弁部８１がスリーブ３０のシール筒部３０ｃから離反して開弁し、液圧逃がし通路９１内の内容液は等圧孔２７から容器本体１０内に流れる。
【００５８】
＜ポンプアップ操作 − 後半＞
回動環４０の回転によりボール７１がカム溝７０における傾斜溝７０ａの下端近傍に達すると、プランジャ６０の下筒部６３の上側部分が等圧弁８０の第２弁部８２から離脱して下筒部６３の下側部分を第２弁部８２が摺動すると共に、プランジャ６０のスカート部６２のシール脚筒部６７が第３弁部８３の先端シール部に圧接し始める。なお、この位置から最上限位置までのプランジャ６０の移動範囲を上部移動域と称する。
【００５９】
この上部移動域においては、等圧弁８０の第２弁部８２は開弁状態となり、第３弁部８３は空気流入通路９２から液圧逃がし通路９１への流通を許容しその逆方向の流通を阻止する逆止弁として機能する。
【００６０】
ところで、前述したように液圧逃がし通路９１は容器本体１０内に連通しており負圧になっているので、この負圧により第３弁部８３はシール脚筒部６７から離反して開弁状態となる。その結果、空気流入通路９２が液圧逃がし通路９１及び等圧孔２７を介して容器本体１０内に連通し、大気がこれら通路を通って容器本体１０内に流入し、容器本体１０内が大気圧になる。この状態はプランジャ６０が最上限位置に至るまで継続する。
【００６１】
そして、図７に示すように、ボール７１が傾斜溝７０ａの下端、即ち垂直溝７０ｂの下端に達すると、回動環４０の回転は停止され、プランジャ６０が最上限位置に位置することとなる。これにより、内容液のポンプアップは終了し、吸込弁２９の弁体２９ａが弁座部２６に着座して吸込弁２９は閉弁する。
また、ポンプアップ終了と同時に、等圧弁８０の第１弁部８１がシール筒部３０ｃに圧接して閉弁し、第３弁部８３がシール脚筒部６７に圧接して閉弁する。従って、この状態で万が一に液体噴霧容器１を横転させたとしても内容液が液体噴霧容器１の外へ漏洩することはない。
【００６２】
なお、吐出弁５１が閉弁されている限り加圧室９３は内容液で充填されているため密閉空間となるので、スプリング４７の弾性復元力がプランジャ６０に作用していても、このままではプランジャ６０が下降することはない。
【００６３】
＜噴出操作＞
前述のように内容液をポンプアップした後、図８に示すように、噴霧ヘッド５６を押し下げると、吐出弁５１が開弁し、加圧室９３が噴霧ノズル５６ａに連通して、加圧室９３の密閉が破られる。
その結果、スプリング４７の弾性復元力によりプランジャ６０が下降し、加圧室９３内の内容液が噴霧ノズル５６ａから噴霧される。なお、プランジャ６０の下降時、ボール７１はカム溝７０の垂直溝７０ｂをプランジャ６０に対して相対的に上昇することとなる。
【００６４】
プランジャ６０の最下限位置への下降に伴い、液圧逃がし通路９１内は負圧になるが、この負圧により等圧弁８０の第３弁部８３はシール脚筒部６７から離反し開弁状態となるので、空気流入通路９２から液圧逃がし通路９１に大気が流入する。
プランジャ６０が下降してその下筒部６３の上側部分が等圧弁８０の第２弁部８２に圧接し始めると、即ちプランジャ６０が上部移動域を脱すると液圧逃がし通路９１は密閉されるので、それ以降はプランジャ６０のテーパー筒部６７ａがスリーブ３０の小径筒部３０ｂから離脱するまでの間、即ち下部移動域に達するまでの間、プランジャ６０の下降に伴い液圧逃がし通路９１は減圧されて若干負圧化する。
【００６５】
＜噴出終了＞
プランジャ６０のテーパー筒部６７ａがスリーブ３０の小径筒部３０ｂから離脱して大径筒部３０ａの側方に位置するようになると、即ちプランジャ６０が下部移動域に入ると、液圧逃がし通路９１が加圧室９３に連通するため液圧逃がし通路９１内に加圧室９３内の正圧が伝達される。
【００６６】
その結果、液圧逃がし通路９１内の圧力が容器本体１０内の圧力よりも大きくなり、等圧弁８０の第１弁部８１がスリーブ３０のシール筒部３０ｃから離反し第１弁部８１は開弁状態となって、加圧室９３内の内容液（内圧）が液圧逃がし通路９１及び等圧孔２７を通って容器本体１０内に流れ、これに伴い加圧室９３内の圧力が急速に減圧されて、噴霧ノズル５６ａからの内容液の噴霧が止まる。
以上により、液体噴霧容器１からの内容液の吐出が終了する。
【００６７】
特に、本実施形態の液体噴霧容器１によれば、図４に示すように、プランジャ６０における上筒部６４の外周面に加飾部１００が形成されているので、貫通孔１０１及び拡大レンズ１０２を通じて回動環４０の外部から加飾部１００を視認することができ、プランジャ６０の作動に伴って数字の変化を視認することができる。これにより、回動環４０の回転操作に伴ってプランジャ６０が上昇する様子や、噴霧ヘッド５６の押し下げ操作に伴ってプランジャ６０が下降する様子等、プランジャ６０の作動状況を確認することが可能である。従って、適正にプランジャ６０が作動していることを認識しながら操作を行うことができ、製品信頼性を確保して付加価値を高めることができる。
【００６８】
また、数字の変化により、噴霧ヘッド５６の押し下げ操作に伴うプランジャ６０の下降位置を把握し易いので、内容液の噴出量を把握しながら操作することができる。
つまり、回動環４０の回転操作によってプランジャ６０が最上限位置に達し、内容液のポンプアップが終了した場合（噴出準備完了時）には、貫通孔１０１及び拡大レンズ１０２を通じて加飾部１００における数字「１５」を視認することができる。
そして、噴霧ヘッド５６の押し下げ操作によって、ある程度の内容液を噴出させると、プランジャ６０が下降するので、貫通孔１０１及び拡大レンズ１０２を通じて加飾部１００における数字が「１５」から徐々に小さい数字に切り替わり、例えば図５に示すように数字「１０」に切り替わることを視認することができる。そして、さらなる内容液の噴出によって、加圧室９３内の内容液を噴出しきった場合には、プランジャ６０が最下限位置に位置するので、貫通孔１０１及び拡大レンズ１０２を通じて加飾部１００における数字が「０」に切り替わることを視認することができる。
【００６９】
このように、数字が「１５」の場合には加圧室９３内に内容液が十分に残っており、小さい数字に移行するほど内容液が減っていき、「０」の場合には内容液がなくなった、というように、数字の変化により加圧室９３内における内容液の残量を把握し易い。
従って、上述したように、内容液の噴出量を把握しながら操作を行うことができる。このため、例えば所望の領域に内容液を噴出する場合、１箇所に集中させてしまうことを防止しながら、内容液をムラなく噴出させ易い。
【００７０】
また、加飾部１００における数字の変化、即ち、数字が「０」に切り替わったことにより、プランジャ６０が最下限位置に達して加圧室９３内の内容液の噴出が終了したことを把握し易いので、使用途中での誤作動を防止できる。例えば、プランジャ６０が最下限位置以外にあるときに、回動環４０を回転操作してしまう等の誤作動を防止できる。従って、この誤作動に起因する増し締めや、部品変形による作動不良等を未然に防止できる。
【００７１】
さらに、回動環４０が透明であるので、図４に示すように、回動環４０の内側に配設される各構成品を視認することができ、デザイン性の向上や部品点数の多さをアピールして付加価値をさらに向上させることができる。
【００７２】
なお、本発明の技術範囲は、上記実施形態に限定されるものではなく、本発明の趣旨を逸脱しない範囲において、種々の変更を加えることが可能である。
【００７３】
例えば、上記実施形態では、液体吐出容器の一例として、噴霧ノズル５６ａを有する噴霧ヘッド５６を具備し、内容液を噴出させる液体噴霧容器１を例に挙げて説明したが、この場合に限定されるものではない。例えば、内容液を線状（ストレート状）に吐出（いわゆる直吐出）する液体吐出容器や、内容液を泡状に吐出する液体吐出容器等も、本発明に含まれる。いずれにしても、内容液を吐出できれば良い。
【００７４】
また、上記実施形態では、固定具８６及び押さえ脚部６８をそれぞれ備えるものとしたが、これらは無くても良い。また、変換機構７５は、回動環４０とプランジャ６０との間に設けられ回動環４０の回転動作をプランジャ６０の上昇動作に変換するものであれば、前記実施形態に示したものに限られない。
【００７５】
また、上記実施形態では、等圧弁８０が第１弁部８１、第２弁部８２及び第３弁部８３を備えるものとしたが、等圧孔２７を開閉すると共に、プランジャ６０の外周面に圧接摺動して液圧逃がし通路９１と空気流入通路９２との間を開閉するものであればこれに限られるのではない。
【００７６】
また、上記実施形態では、「０」〜「１５」の数字を明示することで加飾部１００を形成したが、数字の範囲や数はこれらの色に限定されるものではない。例えば、「０」〜「５」の数字を明示しても構わないし、「０」〜「２０」の数字を明示しても構わない。
特に、拡大レンズ１０２によって数字を拡大表示できるので、プランジャ６０の外周面に多数の数字を明示したとしても視認し易い。そのため、多数の数字を利用して、プランジャ６０の作動状況をより微細に確認することが可能である。
また、プランジャ６０における上筒部６４の外周面に、容器軸Ｏを挟んで径方向に向かい合うように加飾部１００を一対形成したが、１つだけ形成しても構わない。この場合、シリンダ２０に形成する貫通孔１０１についても１つだけで構わないが、回動環４０に形成する拡大レンズ１０２については周方向に複数形成すると良い。こうすることで、回動環４０の回転位置に影響されずに、貫通孔１０１及び拡大レンズ１０２を通じて加飾部１００を視認し易い。
【００７７】
また、上記実施形態では、シリンダ２０に貫通孔１０１を形成したが、貫通孔に限定されるものではない。例えばシリンダ２０の第４筒部２４に透明板や透明フィルム等を取り付けた窓部を設ける構成としても構わない。
【００７８】
さらに、上記実施形態では、透明な回動環４０と拡大レンズ１０２とを一体成型した場合を例に挙げたが、両者を別体としても構わない。
例えば、図９に示すように、非透明材料で回動環４０を成形し、その後、回動環４０とは別に成形した拡大レンズ１０２を、回動環４０に組み合わせても構わない。この場合であっても同様の作用効果を奏効することができる。
但し、透明材料を利用して回動環４０と拡大レンズ１０２とを一体成型した場合には、容易に作製できるうえ製造コストを低減できるので、より好ましい。
【００７９】
その他、本発明の趣旨に逸脱しない範囲で、前記実施形態における構成要素を周知の構成要素に置き換えることは適宜可能である。
【符号の説明】
【００８０】
１…液体噴霧容器（液体吐出容器）
１０…容器本体
１２…容器本体の口部
２０…シリンダ
２１ａ…吸込み口
２４ｂ…貫通孔（窓部）
２９…吸込弁
４０…回動環
４７…スプリング（付勢機構）
５０…吐出管
５１…吐出弁
５６…噴霧ヘッド（吐出ヘッド）
５６ａ…噴霧ノズル（吐出口）
６０…プランジャ
７５…変換機構
９３…加圧室
１００…加飾部
１０１…貫通孔（窓部）
１０２…拡大レンズ
【図１】
2014156253.tif 000003
【図２】
2014156253.tif 000004
【図３】
2014156253.tif 000005
【図４】
2014156253.tif 000006
【図５】
2014156253.tif 000007
【図６】
2014156253.tif 000008
【図７】
2014156253.tif 000009
【図８】
2014156253.tif 000010
【図９】
2014156253.tif 000011